(57)【要約】【課題】頭部伝達関数を生成するシステム及び方法を提供すること。【解決手段】本発明の例示的態様によれば、ユーザの頭部伝達関数を計算することと、前記頭部伝達関数を送信することとを含む方法を提供し、計算は、少なくとも１つの映像素材及び少なくとも１つの追加画像を含む収集データに少なくとも部分的に基づき、少なくとも１つの追加画像は、透明測定デバイスを、ユーザの少なくとも１つの生物学的詳細の上に重ねた画像を含む。【選択図】図１
2020201479.tif 000002
【特許請求の範囲】
【請求項１】
−第１のコンピュータ・プログラム・アプリケーションによって、ユーザの頭部伝達関数を計算することと、
前記頭部伝達関数を送信することと
を含む方法であって、前記計算は、少なくとも１つの映像素材及び少なくとも１つの追加画像を含む収集データに少なくとも部分的に基づき、前記少なくとも１つの追加画像は、透明測定デバイスを、ユーザの少なくとも１つの生物学的詳細の上に重ねた画像を含む、方法。
【請求項２】
前記送信は、
−前記頭部伝達関数を少なくとも１つの音響デバイスにロードすることと、
−ユーザが前記音響デバイスを利用可能になることと
を含む、請求項１に記載の方法。
【請求項３】
前記音響デバイスは、ヘッドフォンを備える、請求項２に記載の方法。
【請求項４】
自律デバイスは、ユーザに関連するデータを収集するために使用する、請求項１から３のいずれか一項に記載の方法。
【請求項５】
前記第１のコンピュータ・プログラム・アプリケーションは、前記データ収集工程のための状況命令を提供する、請求項１から４のいずれか一項に記載の方法。
【請求項６】
前記収集データは、ユーザに関連するメタデータを含み、前記メタデータは、前記第１のコンピュータ・プログラム・アプリケーションにおいて、前記映像素材及び前記少なくとも１つの追加画像とは個別に受信する、請求項１から５のいずれか一項に記載の方法。
【請求項７】
前記収集データは、ユーザの左耳の少なくとも１つの追加画像及びユーザの右耳の少なくとも１つの追加画像を含む、請求項１から６のいずれか一項に記載の方法。
【請求項８】
前記頭部伝達関数は、少なくとも１つの波動方程式を解くことによって、時間領域において計算する、請求項１から７のいずれか一項に記載の方法。
【請求項９】
前記頭部伝達関数は、少なくとも１つのヘルムホルツ方程式を解くことによって、周波数領域において計算する、請求項１から８のいずれか一項に記載の方法。
【請求項１０】
前記送信は、前記頭部伝達関数をＳＯＦＡファイル・フォーマットにパッケージ化することを含む、請求項１から９のいずれか一項に記載の方法。
【請求項１１】
少なくとも１つの処理コアと、コンピュータ・プログラム・コードを含む少なくとも１つのメモリとを備える装置であって、前記少なくとも１つのメモリ及び前記コンピュータ・プログラム・コードは、前記少なくとも１つの処理コアと共に、前記装置が、少なくとも、
−ユーザの頭部伝達関数を計算し、
−前記頭部伝達関数を送信する
ように構成し、前記計算は、少なくとも１つの映像素材及び少なくとも１つの追加画像を含む収集データに少なくとも部分的に基づき、前記少なくとも１つの追加画像は、透明測定デバイスを、ユーザの少なくとも１つの生物学的詳細の上に重ねた画像を含む、装置。
【請求項１２】
前記頭部伝達関数の送信は、
−前記頭部伝達関数を少なくとも１つの音響デバイスにロードすることと、
−ユーザが前記音響デバイスを利用可能になることと
を含む、請求項１１に記載の装置。
【請求項１３】
前記頭部伝達関数は、少なくとも１つの波動方程式を解くことによって、時間領域において計算する、請求項１１又は１２に記載の装置。
【請求項１４】
前記頭部伝達関数は、少なくとも１つのヘルムホルツ方程式を解くことによって、周波数領域において計算する、請求項１１〜１３のいずれか一項に記載の装置。
【請求項１５】
請求項１〜１０のいずれか一項に記載の方法を実施させるように構成したコンピュータ・プログラム。
【発明の詳細な説明】
【技術分野】
【０００１】
本開示は、特に音響工学を適用する分野において、第１のコンピュータ・プログラム・アプリケーションによって、ユーザの頭部伝達関数を計算することと、前記頭部伝達関数を送信することとを含む方法を提供し、計算は、少なくとも１つの映像素材及び少なくとも１つの追加画像を含む収集データに少なくとも部分的に基づき、少なくとも１つの追加画像は、透明測定デバイスを、ユーザの少なくとも１つの生物学的詳細の上に重ねた画像を含む。
【０００２】
より詳細には、本開示は、個人の頭部伝達関数を生成するシステム及び方法を提供する。本開示は、コンピュータ・プログラム・アプリケーション、及び測定デバイスから構成されるキットも含み、測定デバイスは、ユーザの生物学的データ、及び伝達関数に影響を与え得る他のデータに基づいて頭部伝達関数を得るのに使用可能である。更に、ユーザが較正する必要のない頭部伝達関数を実装する音響ハードウェアが提供される。
【背景技術】
【０００３】
音響監視の目的は、音の表現を中立的に評価し、他の再生システムへの良好な伝達を保証することである。頭部の動きを伴う頭部及び外耳の形状、人間の聴覚系の主定位機構は、素晴らしい音源定位能をもたらすものであり、ラウドスピーカの監視を働かせることを可能にしている。ヘッドフォンは、人間が生涯にわたって取得するこうした生来の機構に対する連係を損なうものである。こうした理由のために、耳上ヘッドフォン及び耳内ヘッドフォンは、監視には最適な選択ではなかった。通常のヘッドフォンは、レベルを設定し、音の場所を選別し、人間の声又は楽器のような重要な音源を等化することを困難にしている。というのは、ヘッドフォンは、中音域内に良好に制御された周波数応答を有さず、ヘッドフォン間の音の特性変動は、大きいためである。この問題は、個人差によって複雑化する。ある人がヘッドフォン上で聞くものは、同じヘッドフォン・セットの場合でさえ、他の人が聞くものとはかなり異なる場合がある。こうした特性は、良好な室内ラウドスピーカ監視システムと比較すると完全に異なる。良好なラウドスピーカ監視システムを使用して行った成果は、他のラウドスピーカに正確に伝達され、全ての聴取者に同じに聞こえ、ヘッドフォン再生でも良好に働く。
【０００４】
ヘッドフォンを使用した監視を可能にするには、新たな解決策が必要である。本開示は、ヘッドフォンを使用したステレオ・オーディオ、サラウンド・オーディオ及びイマーシブ・オーディオの監視を可能にする、確実な経路を提供することを目的とする。本開示の実施形態では、ユーザの頭部、外耳及び上半身がどのように影響し、あらゆる所与の方向から到来する音色をどのように変化させるかを計算する。この影響は、頭部伝達関数（Ｈｅａｄ−Ｒｅｌａｔｅｄ  Ｔｒａｎｓｆｅｒ  Ｆｕｎｃｔｉｏｎ、ＨＲＴＦ）と呼ばれる。本開示の実施形態少なくともいくつかは、ユーザ固有の個人的ＨＲＴＦをＳＯＦＡファイル・フォーマット内に提供する。ＳＯＦＡ（Ｓｐａｔｉａｌｌｙ  Ｏｒｉｅｎｔｅｄ  Ｆｏｒｍａｔ  ｆｏｒ  Ａｃｏｕｓｔｉｃｓ）ファイル・フォーマットは、Ａｕｄｉｏ  Ｅｎｇｉｎｅｅｒｉｎｇ  Ｓｏｃｉｅｔｙ（ＡＥＳ）によって規格化されており、音響ソフトウェアによって広く受け入れられ、支持されている。
【０００５】
ＨＲＴＦの提供にはいくつかの方法があり、これらの方法は、当人から固有に測定していないデータを使用する。そのようなデータは、マネキン又はダミーの頭部に由来することがある。典型的には、これらの解決策は、最高の品質をもたらさない。即ち、生成したＨＲＴＦは、ユーザの解剖学的構造にそれほど一致するものではない。質の悪いＨＲＴＦは、ユーザにとって有用ではなく、実際には、ＨＲＴＦが、音色の変化及び不正確な音像定位並び音像定位誤差を含む等、忠実度がより低くなり得ることは理解されよう。
【０００６】
データベース内で利用可能であり、全く異なる人々から独自に測定したデータもある。以前の方法は、そのようなデータベース内で最良の一致を選択するデバイスを備えている。そのような選択は、通常、人体測定と一般に呼ばれる頭部サイズ及び耳の寸法等、その人の寸法のセット測定に基づく。標的とする人の人体測定データは、最良の一致を探すことを目的として、データベース内の他の人からのデータに一致させることができる。このデータは、所与の人に対して正確な音響表現を生成する可能性が最も高いＨＲＴＦが選択されることを仮定している。残念ながら、そのような方法は、実際には、さほど良好な性能を示すものではない。不要な音色の変化、定位誤差、又は良好な外在化の欠如を伴う問題が見られることが多いが、典型的には、このことが、確実なレンダリングをもたらすわけではない。というのは、依然として著しい個人差があり、完全な選択方法は、依然として存在しないためである。
【発明の概要】
【発明が解決しようとする課題】
【０００７】
本発明は、本明細書で提示したこれらの問題及び解決策の欠点を解決し、本明細書で開示する有利な効果を提供することを目的とする。
【課題を解決するための手段】
【０００８】
本発明は、独立請求項の特徴によって定義される。いくつかの特定の実施形態は、従属請求項において定義される。
【０００９】
本発明の第１の態様によれば、第１のコンピュータ・プログラム・アプリケーションによって、ユーザの頭部伝達関数を計算すること、及び前記頭部伝達関数を送信することが提供され、計算は、少なくとも１つの映像素材及び少なくとも１つの追加画像を含む収集データに少なくとも部分的に基づき、少なくとも１つの追加画像は、透明測定デバイスを、ユーザの少なくとも１つの生物学的詳細の上に重ねた画像を含む。
【００１０】
本発明の第２の態様によれば、少なくとも１つの処理コアと、コンピュータ・プログラム・コードとを含む少なくとも１つのメモリとを備える装置が提供され、少なくとも１つのメモリ及びコンピュータ・プログラム・コードは、少なくとも１つの処理コアと共に、装置が、少なくとも、ユーザの頭部伝達関数を計算し、前記頭部伝達関数を送信するように構成し、計算は、少なくとも１つの映像素材及び少なくとも１つの追加画像を含む収集データに少なくとも部分的に基づき、少なくとも１つの追加画像は、透明測定デバイスを、ユーザの少なくとも１つの生物学的詳細の上に重ねた画像を含む。
【００１１】
第１の態様及び／又は第２の態様の様々な実施形態は、以下の箇条書きで書かれたリストからの少なくとも１つの特徴を含むことができる：
・ユーザに関連するデータの収集、
・○映像素材、
○少なくとも１つの追加画像、
○聴覚測定データ、
○ユーザのメタデータ
の少なくとも１つを含む、ユーザに関連するデータ、
・ユーザから収集される少なくとも１つの追加画像。追加画像は、透明測定デバイスを、ユーザの少なくとも１つの生物学的詳細の上に重ねた画像を含む、
・少なくとも１つのコンピュータ・プログラム・アプリケーションによる、ユーザに関連するデータの送信、
・少なくとも１つのコンピュータ・プログラム・アプリケーションによる、ユーザに関連するデータの受信、
・コンピュータ・プログラム・アプリケーションの使用による、ユーザの少なくとも１つの頭部伝達関数の計算。この計算は、前記収集データに少なくとも部分的に基づく、
・少なくとも１つのコンピュータ・プログラム・アプリケーションへの少なくとも１つの頭部伝達関数の送信、
・少なくとも１つの音響デバイスへの頭部伝達関数のロード、
・ユーザへの、頭部伝達関数を含む音響デバイスの提供。当該頭部伝達関数は、当該ユーザに基づく、
・頭部伝達関数を含むヘッドフォン、
・自律デバイスは、ユーザに関連するデータを収集するために使用する、
・例えば、コンピュータ・プログラム・アプリケーションの使用による、データ収集工程の間の状況命令の提供、
・ユーザに関連するメタデータを含むデータ、
・映像素材及び追加画像とは個別の、コンピュータ・プログラム・アプリケーションへのメタデータの送信、
・ユーザの左耳の少なくとも１つの追加画像及びユーザの右耳の少なくとも１つの追加画像を含むデータ、
・少なくとも１つの波動方程式を解くことによる、時間領域における頭部伝達関数の計算、
・少なくとも１つのヘルムホルツ方程式を解くことによる、周波数領域における頭部伝達関数の計算。
【図面の簡単な説明】
【００１２】
【図１】本発明の少なくともいくつかの実施形態による、ユーザ、及びユーザの少なくとも一方の耳により聞こえる音を発する音源の一例の概略図である。
【図２】本発明の少なくともいくつかの実施形態による、ユーザの視覚表現の取得を伴う例示的データ捕捉方法の概略図である。
【図３】本発明の少なくともいくつかの実施形態による、ユーザの視覚表現の取得、更に、自律デバイスの利用を伴う例示的データ捕捉方法の概略図である。
【図４】本発明の少なくともいくつかの実施形態による、ユーザの視覚表現を取得し、更に、自律デバイスを利用する例示的データ捕捉方法の概略図である。
【図５】本発明の少なくともいくつかの実施形態による、ユーザの生物学的詳細の取得に際し使用可能な例示的測定デバイスの概略図である。
【図６】本発明の少なくともいくつかの実施形態による、ユーザの生物学的詳細の取得に際し使用可能な例示的測定デバイスの概略図である。
【図７】本発明の少なくともいくつかの実施形態による、ユーザの生物学的詳細のために、ユーザの耳が異なる様式で音と相互作用する概略図である。
【図８】本発明の少なくともいくつかの実施形態による、ユーザの生物学的詳細のために、ユーザの耳が異なる様式で音と相互作用する概略図である。
【図９】本発明の少なくともいくつかの実施形態による例示的方法を示す流れの図式である。
【図１０】本発明の少なくともいくつかの実施形態による例示的方法を示す流れの図式である。
【発明を実施するための形態】
【００１３】
本開示では、頭部伝達関数を生成するシステム及び方法を提示する。本開示は、コンピュータ・プログラム・アプリケーション、及び測定デバイスから構成されるキットも含み、測定デバイスは、少なくとも、ＨＲＴＦに影響を与えることが公知であるユーザの頭部、外耳、及び上半身の正確な形状の情報、並びに伝達関数に影響を与え得る他のデータに基づき、標的ユーザの頭部伝達関数を得るのに使用可能である。更に、ユーザが較正する必要のない頭部伝達関数を実装する音響ハードウェアが提供される。
【００１４】
頭部伝達関数（ＨＲＴＦ）は、各耳のための個別のフィルタであり、水平面（方位角）及び垂直面（高度）上での各到来方向に対して異なる値を有し、全てのスペクトル効果及び時間領域効果を組み込むものである。ＨＲＴＦは、音に対する全ての変化を表し、この音は、所与の方位から耳に接近する音によって生成される。音への方向による影響に完全な理解をもたらすには、全ての到来方向のための、聴取者の頭部を囲む球にわたる多数のＨＲＴＦを必要とする。ＨＲＴＦ情報を時間領域で表すと、この結果は、頭部インパルス応答（ＨＲＩＲ）である。
【００１５】
図１は、２つの耳、左耳１２及び右耳１１を有するユーザ１０を示す。音源２００によって発せられる音は、両耳によって聞かれる、即ち、音２０２は、左耳により聞かれ、音２０１は、右耳により聞かれる。
【００１６】
Ｓｐａｔｉａｌｌｙ  Ｏｒｉｅｎｔｅｄ  Ｆｏｒｍａｔ  ｆｏｒ  Ａｃｏｕｓｔｉｃ（ＳＯＦＡ）は、多数のＨＲＴＦを保存する、国際的に規格化されたファイル・フォーマットである。本開示では、出力ＳＯＦＡファイルは、例えば、８３６の異なる到来方向で両耳に与えられた、音響信号に関するＨＲＩＲデータを含むことができる。ＨＲＩＲインパルス応答は、１０２４のサンプル長さであり、ユーザの好みに応じてサンプリング・レート４８、４４．１又は９６ｋＨｚを使用する。ファイル内の方位角分解能は、高度によって決まり、表１に示される。最も高い方位角分解能は、わずかな高度にあり、わずかな高度では、人間の聴覚系も最も高い角度分解能を有する。
【００１７】
【表１】
2020201479.tif 000003
【００１８】
本開示の実施形態の少なくともいくつかでは、個人化した頭部伝達関数の測定、計算、及び少なくとも１人のエンドユーザへの配信を促進するシステムを提供する。そのようなシステムは、少なくとも１つの第１のコンピュータ・プログラム・アプリケーションを備えることができ、第１のコンピュータ・プログラム・アプリケーションは、ユーザが提供するデータに基づき、頭部伝達関数を計算し、頭部伝達関数を得、少なくとも１つの所望のファイル・フォーマットにパッケージ化し、前記ファイル・フォーマットをユーザに配信する機能を備える。システムは、第２のコンピュータ・プログラム・アプリケーションも備えることができ、第２のコンピュータ・プログラム・アプリケーションは、ユーザが測定を行い、測定値を第１のコンピュータ・プログラム・アプリケーションに送信するのを支援する機能を備える。次に、ユーザは、第２のコンピュータ・プログラム・アプリケーションを利用し、ファイル・フォーマットを安全に得ることができる、又は代替実施形態では、個別の第３のコンピュータ・プログラム・アプリケーションを使用することができる。
【００１９】
ＨＲＴＦは、ヘッドフォン、イヤフォン、ラウドスピーカ、サブウーファ、骨伝導音響デバイス、補聴器、ＰＡシステム、増幅器、前置増幅器、監視器、テレビ、携帯電話、タブレット、スマートウオッチ等のあらゆる形態の音響機器と共に利用可能である。
【００２０】
本開示の実施形態の少なくともいくつかによれば、素材は、エンドユーザ、即ち、頭部伝達関数を生成する人の詳細を必要とする。この素材を、本明細書ではユーザ・データ、ユーザ素材又は他のそのような用語と呼ぶことができる。この素材は、例えば、第１のコンピュータ・プログラム・アプリケーションを、任意で、第２のコンピュータ・プログラム・アプリケーションを含むコンピューティング・デバイスのオペレーティング・システムの要素と共に使用することによって得ることができる。例えば、第２のコンピュータ・プログラム・アプリケーションは、少なくとも１つの携帯電話アプリケーションを備えることができる。
【００２１】
必要なユーザ素材は、静止画像及び／又は映像、即ち、画像シーケンスを含むことができる。更に、ユーザ・データは、画像を処理するために使用される試験信号又はタイミング信号等の音を含むことができる。画像又は音のデータは、映像の一部として含めることができるか、又は個別に記録することができる。例示的な一実施形態では、画像素材は、好ましくは、少なくとも７２０×９２０画素、より好ましくは、１９２０×１０８０画素である。画像素材は、好ましくは、以下の少なくともいくつか：頭部、肩、胴、頸部、顔、耳、鼻を含むユーザの生物学的詳細の視覚表現を含む。ユーザの耳に関し、外耳の生物学的詳細は、耳介及び外耳道の形状及び寸法を含めて重要である。ユーザが知覚する音は、以下生物学的データ（生物学的詳細）の少なくともいくつか：耳の形状、耳のサイズ、頭の形状、頭のサイズ、肩のサイズ、肩の形状、口腔のサイズ及び形状、及び鼻腔、並びに既に述べた身体部位と他の生物学的詳細との間の距離によって影響を受ける。したがって、頭部に加えて、ユーザの胴及び肩の視覚的な記録を有することが有利である。少なくとも１つの例示的実施形態では、画像素材は、ユーザが口を開けている視覚表現を含み、ユーザの歯の状態に関連する情報、例えば、歯が欠けていることを得る。そのような情報は、計算段階において頭部伝達関数を調節し、より正確なモデルを得るために使用可能である。更に、耳を含むユーザの頭の各側の画像を有することが有益である。というのは、ユーザは、外傷を負ったことがあり、各頭の側に異なる生物学的詳細がもたらされる可能性があるためである。
【００２２】
図２は、本開示の少なくともいくつかの実施形態による映像捕捉を受けるユーザ１０を示す。ユーザ１０は、耳１１及び１２、口１５を備える頭部１６を有する。ユーザ１０は、頸部１８、肩１３及び１４も備える。ユーザの生物学的要素１１、１２、１３、１４、１５及び１６は、記録デバイス３００によって記録される。記録デバイス３００は、カメラ等の少なくとも１つの映像捕捉デバイスを備え、前記カメラは、線３０３によって示す視野を有する。したがって、ユーザの視覚表現３０１は、捕捉され、更に示される。視覚表現３０１は、有利には、ユーザの生物学的要素１１、１２、１３、１４、１５、１６、１８の全てを含み、ＨＲＴＦ生成工程において使用される。本開示によれば、少なくとも１つの異なるデータ取得方法を利用し得るこの実施形態及び他の実施形態は、ユーザの視覚表現３０１の捕捉を含む。
【００２３】
図３は、本開示の少なくともいくつかの実施形態による映像捕捉を受けるユーザ１０を示す。この図では、映像の捕捉は、ここでは空中ドローンとして示される自律デバイス４００によって実施される。図から分かるように、映像の捕捉は、ユーザの１つの側の向きから撮られる。自律デバイスは、経路４０４及び４０５から構成される経路を辿る。経路４０４及び４０５は、一緒にすると、円、楕円又は他の幾何学的形状を表すことができる。したがって、自律デバイスは、ユーザ１０の周囲を旋回する一方で、カメラの視野４０３がユーザの方を指すように有利に向けられる。旋回が生じると同時に、デバイス４００は、ユーザ１０を連続的に記録し、デバイス４００によって捕捉した映像が、ユーザの様々な側からの、ユーザの生物学的詳細の視覚表現を有する映像フレームを含むようにする。例えば、ユーザの左耳１１は、１０００の映像フレームで示すことができ、最初の２００のフレームは、前記耳の顔方向からの眺めを示し、フレーム２０１〜８００を含み得る耳の側の（直接的な）眺めに徐々に移行し、この後、残りのフレームは、後方からの耳を示す。前記フレームは、耳及び肩の詳細等の特定の詳細、並びに全体寸法、即ち、ユーザのそれぞれの寸法、例えば、耳から肩への距離の決定に使用可能であり得る。
【００２４】
更なる例示的実施形態では、デバイス経路は、高度を変化させることができ、デバイスは、ユーザの頭を越えて交差し、頭の真上等の上昇角度からユーザの生物学的詳細の写真素材を得ることができる。更なる例示的実施形態では、素材を捕捉する自律デバイスを使用する際、本開示内で開示される命令をユーザに与えることができる。更なる例示的実施形態では、自律デバイスは、まず、測定デバイスを耳の上に配置するようにユーザに指し示し、次に、追加画像を捕捉するように位置を調節することができる。本開示の少なくともいくつかの実施形態によれば、経路４０４及び４０５は、所定の向き、例えば、９０度ごと又は６０度ごとでの停止部を組み込み、捕捉画像上の被写体ブレによる影響を最小化するようにする。
【００２５】
図４は、自律デバイス４００によって映像捕捉を受けるユーザを示し、自律デバイス４００は、視野限界４０３によって画定される画像を捕捉する経路４０４及び４０５上を進行する。経路は、ユーザに向かう角度にあり、デバイスが、ユーザの頭部の生物学的詳細に関するより多くの重要な詳細を捕捉することを可能にする。例示的な一実施形態では、デバイスが取る経路は、二重螺旋と似ていてもよい。即ち、ユーザの側部の全ては、少なくとも２つの向きから捕捉され、これにより、ＨＲＴＦ計算のための形状データを増大させる。
【００２６】
第１のコンピュータ・プログラムは、視覚的命令、聴覚的命令、テキストによる命令若しくは触覚による命令を表示、送信又は発することを含み、捕捉工程を支援することができる。命令は、状況命令として、例えば現在のユーザの状態に基づき、有利に提供される。命令の状況は、収集データ、ユーザの場所、収集デバイスの向き又は動きに基づき、第１のコンピュータ・プログラム・アプリケーション又は第２のコンピュータ・プログラム・アプリケーションによって得ることができる。例えば、ユーザ・データの照明が不十分である場合、このことを警告音によってエンドユーザに示すことができる。少なくとも例示的な一実施形態では、状況命令の提供は、第２のコンピュータ・プログラム・アプリケーションから第１のコンピュータ・プログラム・アプリケーションに伝達されたデータに基づき、少なくとも１つの第１のコンピュータ・プログラム・アプリケーションによって決定される。更に、第１のコンピュータ・プログラム又は第２のコンピュータ・プログラムは、ユーザ・データ分析機能を含み、ユーザ・データに対する最初のサニティ・チェックを実施することができ、不要なデータ送信を回避するようにする。第１のコンピュータ・プログラム又は第２のコンピュータ・プログラムは、更に、ユーザの素材を安全にする暗号化機能、及び送信データ量を低減する圧縮機能を含むことができる。
【００２７】
第２のコンピュータ・プログラムは、コンピューティング・デバイスの向き及び動きを検知し、前記向き及び／又は動きの情報を、画像素材と共に保存することを含み、頭部伝達関数を生成する際に使用することができる。画像安定化を利用することができる。例示的な一実施形態では、ユーザ・データは、ドローン等の自律飛行デバイスを使用して捕捉される。ドローン経路は、上記で詳述したサニティ・チェックに応答する第２のコンピュータ・プログラムに事前にプログラミングすることができ、ドローンに、第２のコンピュータ・プログラムによって、特定のデータ、例えば、質が低いと決定されたデータを再度捕捉するように命令することができる。
【００２８】
頭部伝達関数の正確さを増大させるため、測定工程は、特定の測定デバイスを利用することができる。測定デバイスは、以下の少なくとも１つ等の尺度：メートル長さ尺度、所定パターン、反射部分、ＬＥＤ等の構成要素、バーコード及びＱＲコード等の視覚的に保存される情報を含むことができる。測定デバイスは、以下の少なくとも１つ：フック、誘導具、固定具、留め具、バンド、接着剤等の配置補助具を備えることができる。例示的な一実施形態では、測定デバイスは、少なくとも１つの機械可読フォーマット及び少なくとも１つの人間可読フォーマット内に保存される情報を含み、機械可読フォーマットに対するデータが人間によって解釈されないようにする、及び／又は人間可読フォーマットに対するデータが機械によって解釈されないようにする。機械可読データは、テキスト・フォーマット等の人間が容易に理解可能なフォーマットで保存することもでき、この場合、本明細書で説明するコンピュータ・プログラム・アプリケーションは、光学式文字認識（ＯＣＲ）を実施するか又は実施させ、データを読み取るようにする。例示的な一実施形態では、少なくとも１つの測定デバイスは、透明である、即ち、光透過性材料から構成することができる。このことは、測定デバイスをユーザの身体部位上に置くことができ、得られた画像は、測定デバイスをユーザの身体部位上に重ねて表示するため、有益である。更なる例示的実施形態では、測定デバイスの位置は、データ取得中、第１のコンピュータ・プログラム・アプリケーション又は第２のコンピュータ・プログラム・アプリケーションによって分析することができ、位置に対するあらゆる必要な修正は、状況命令を介して、例えば、ユーザが測定デバイスを保持しながら没頭できるように、音声命令を介してユーザに伝達することができる。
【００２９】
図５は、本発明の少なくともいくつかの実施形態による測定デバイスの使用を示す。ユーザの耳１２を撮った画像において、測定デバイス９０は、耳１２に重ねて示されている。測定デバイス９０は、機械可読である目盛り９１を備える。そのような透明測定デバイスの使用は、参照特徴としての目盛りを用いた画素ベースの計算の使用により、耳介寸法等のユーザの生物学的特徴を容易に寸法決定するという利益を提供する。
【００３０】
図６は、ユーザの耳１２の上に重ねた別の種類の透明測定デバイス９５を示す。測定デバイス９５、及び本明細書で開示する他の測定デバイスは、例えば、ＡＢＳ又はポリエチレン等のプラスチック材料から製造することができる。測定デバイス９５は、機械可読目盛り９６、及びバーコードとして表される識別手段９７を備える。目盛り９６及び識別手段９７の位置及び向きは、ユーザの生物学的詳細の迅速な分析を可能にする。測定デバイス９５は、ユーザの耳１２に対して軽く押しあてられ、見掛けの効果により、データ収集の邪魔をしないことを保証することができる。
【００３１】
例示的な一実施形態では、第２のコンピュータ・プログラム及び測定デバイスは、キットとして提供される。キットは、少なくとも１つの透明測定デバイスを備えることができる。更なる例示的実施形態では、キットは、以下：照明デバイス、伝導測定デバイス、マイクロフォン、ヘッドフォン、例えば背景又は背景幕として使用する光不透過性測定デバイスの少なくとも１つを備えることができる。本開示による測定デバイスの少なくともいくつかは、ユーザの少なくとも１つの身体部位に一時的に取り付けるように構成することができる。測定デバイスの少なくともいくつかは、帽子、ヘアバンド、シャツ等の衣類物品を含むことができる。キット内に備えられるデバイスの少なくともいくつかは、有利には、ユーザ測定に基づき生成されるＨＲＴＦ等のＨＲＴＦを受け入れるように構成することができる。少なくとも１つの例示的実施形態では、キットは、アクセス・コードを含むことができ、ユーザがデータを第１のコンピュータ・プログラム・アプリケーションに送信することを可能にする。
【００３２】
本開示の少なくともいくつかの実施形態では、上述の画像及び音声データに加えて、ユーザからのデータを収集する。本開示の文脈ではメタデータと呼ばれるこのデータは、ユーザの識別情報、即ち、以下の少なくとも１つ：ユーザの名前、ユーザの別名、指紋等のユーザの生体識別情報、ユーザの年齢、ユーザの生物学的性別を含むことができる。前記データは、ユーザに関連する地理的データも含むことができ、地理的データには、ユーザの場所、ユーザの場所における（ユーザが手動で測定、得た又は入力した）大気圧、ユーザの場所における湿度、ユーザの場所における温度の少なくとも１つを含む。そのようなデータは、頭部伝達関数の生成に有益である。というのは、ユーザが受ける音は、年齢、骨伝導等の生物学的な要因、及び湿度等の場所的な要因によって影響を受けるためである。メタデータは、画像データの一部として収集することができ、例えば、ユーザは、データを映像の音声トラック上に伝達することができる。メタデータは、少なくとも一部は、センサ・データを使用する第２のコンピュータ・プログラム・アプリケーションを備えるデバイスによって収集することができるか、又は測定イベントの前若しくはその後、１つ若しくは複数のデータベース及び／若しくはコンピュータ・システムからの第１のコンピュータ・プログラム若しくは第２のコンピュータ・プログラムによって、他の供給源から得ることができ、１つ若しくは複数のデータベース及び／若しくはコンピュータ・システムは、少なくともいくつかの実施形態では、第２のコンピュータ・プログラム・アプリケーション及び／又は第１のコンピュータ・プログラム・アプリケーションを備えない。
【００３３】
図７は、ユーザの耳１２に到来する音の影響を示す。音２０２ｂは、ユーザの外耳道に直接到来する一方で、音２０２ａは、ユーザの耳の表面、より正確にはユーザの耳甲介から反射される。ユーザが受ける、音への対応する影響は、図に含まれる周波数グラフで示す。
【００３４】
図８は、別の状況を示し、音２０２ｃ及び２０２ｄは、耳の上から到来する。音２０２ｃは、ユーザの外耳道に直接到来する一方で、音２０２ｄは、耳の表面から反射され、外耳道に入る。ユーザが受ける、音への対応する影響は、図に含まれる周波数グラフで示す。図７及び図８に示す状況は、例示的な性質のものであり、典型的なシミュレーションでは、結果を得るために重ねられる数十から数百のそのようなシミュレーションを含む。図７及び図８に関して本明細書で説明する状況は、計算の一部として使用し、ＨＲＴＦを得るか、又は代替若しくは追加として、ＨＲＴＦ生成後、ＨＲＴＦの少なくともある部分、例えば周波数範囲を修正することができる。図７及び図８に示す状況は、耳への音の物理的伝達に対するユーザの生物学的詳細の影響もここで提示し、知覚音に対するそのような現象による影響を強調し、本開示内で提示する高度に正確なＨＲＴＦの必要性を際立たせている。
【００３５】
本開示による少なくともいくつかの実施形態では、ユーザの聴覚感受性は、少なくとも部分的に第２のコンピュータ・プログラム・アプリケーションを使用して検査する。そのような検査は、空気伝導音検査及び骨伝導音検査を対象とする要素を含むことができる。検査は、少なくとも１つの第１のデバイスに、振動、即ち、第１の刺激を発するように指示すること、及び少なくとも１つの第１の刺激に対する少なくとも１つの第１のユーザ応答を手動又は自動的に記録することを含むことができる。本開示の少なくともいくつかの実施形態では、第２のコンピュータ・プログラム及び任意で測定デバイスを備える測定機器は、ユーザとは異なる場所にあることがある。この場合、ユーザは、第１のコンピュータ・プログラムのローカル・インスタンスを有することができ、ローカル・インスタンスは、ユーザが測定機器の場所に行き、高品質測定を得るべきであることを直接、又はユーザの測定に応じて表示することができる。
【００３６】
本開示によれば、頭部伝達関数の計算は、測定したユーザの生物学的詳細による、ユーザの鼓膜に対する音圧のシミュレーションによって、及び／又は周波数領域音場モデル化の使用によって周波数領域内で実施される。シミュレーションの入力値は、遠距離音場、例えば、回転楕円形構成で被験者の頭部から２メートルに位置する音源とすることができる。頭部伝達関数を得るには、各音源から被験者の耳までの、関連する音場の計算を組み込むことができる。音場の計算は、時間領域において少なくとも１つの波動方程式を解くことによって及び／又は周波数領域において少なくとも１つのヘルムホルツ方程式を解くことによって、被験者の形状で達成することができる。波動方程式及び／又はヘルムホルツ方程式の数値の解法は、以下の１つ：有限要素法（ＦＥＭ）、有限差分／有限差分時間領域法（ＦＤ／ＦＤＴＤ）若しくは境界要素法（ＢＥＭ）若しくはこれらの修正形態及び拡張形態、又は本明細書で開示するあらゆる他の方法によって行うことができる。音場を時間領域内で解く及び／又は計算する場合、被験者の耳内で得られる圧力場が、直接的な所望のインパルス応答である。音場を周波数領域内で解く及び／又は計算する場合、例えば、逆フーリエ変換等の計算を使用して所望のインパルス応答を得る。更に、計算は、以下の少なくともいくつか：周波数掃引正弦波又は最長系列を利用することができる。伝達関数は、表１に列挙する少なくとも１つの値及び必要に応じた内挿、又はより多数の方向、例えば８３６の方向に対して計算することができる。
【００３７】
本開示の少なくともいくつかの実施形態によれば、計算の前にユーザの生物学的詳細をモデル化する。前記モデル化は、任意でユーザのメタデータを含む供給された素材からユーザの生物学的形状を抽出すること、形状に対する検査を実施すること、３Ｄメッシュを生成すること、及び耳道進入点を割り当てることを含む。
【００３８】
ＨＲＴＦの生成は、１つ又は複数の重みベクトルを使用して入力変数を重み付けることによって更に調節することができる。例えば、耳介の長さは、ユーザの耳から肩までの距離よりも重み付けることができる。ユーザからのメタデータ及び／又は更なるデータに対し、本開示内の他の場所で開示する入力データの質、ＨＲＴＦの質、及び決定基準に応じて、より多く又はより少なく重みを与えることができる。
【００３９】
本開示の実施形態の少なくともいくつかによれば、頭部伝達関数を計算又は生成した後、少なくとも１つの品質基準を計算することができる。品質基準は、伝達関数の推定精度に関する情報を提供する。品質スコアは、得られた伝達関数と、人口統計学的値、集団データ、シミュレーションした頭部データ、ダミーの頭部データの少なくとも１つに基づき得られた伝達関数とを比較することによって計算することができる。品質スコアは、パーセンテージ形式で表すことができる。
【００４０】
本開示の実施形態の少なくともいくつかによれば、頭部伝達関数は、本開示内で既に説明したユーザのメタデータを使用して計算するか又は計算後、調節することができる。例えば、海面に対するユーザの高度及び／又はユーザの場所における大気圧は、ユーザの耳道への音の伝播の仕方に影響を与えることがあり、したがって、この要因を考慮すると、より正確な伝達関数がもたらされる。別の例では、いくつかの状況では、ユーザは、音を経験する間、ヘルメット又は他のヘッドギアをかぶらなければならないことがある。そのような機器も、頭蓋骨及び空気を通じた音の伝導に影響を与えるため、モデルが、機器の形状及び材料特性を考慮することが有益である。更に別の例では、ユーザが、ヘッドフォン等の特定の音響機器を使用する又は使用を計画する場合、本明細書で提示する他の例と同様に、材料及び機械的構造を含むヘッドフォンの設計を考慮に入れることができる。
【００４１】
したがって、ユーザのメタデータに関連するそのような条件に関連するデータ及び本明細書で提示する例は、例えば、重み付けされた値の表又は多次元マトリックスとしてシステム内に保存することができる。少なくとも１つの第１のコンピュータ・プログラム・アプリケーション又は第２のコンピュータ・プログラム・アプリケーションは、事前にプログラムした命令を含み、これらの値を利用若しくは適用することができるか、又はアプリケーションは、伝達関数の品質スコアが特定の閾値が例えば５０％に合致しない場合、これらの値を利用することができる。
【００４２】
有利な実施形態では、頭部伝達関数は、ヘッドフォン又はスピーカ等の少なくとも１つの音聴取デバイスに事前にロードすることによってユーザに提供される。そのようなハードウェアは、以下の少なくとも１つ：ドライバ要素、頭部伝達関数に少なくとも部分的に基づいて音響信号に対し少なくともいくつかの調節を実施するようにプログラムされた命令を含むプリプロセッサ、ケーブル・ジャック等の音入力手段、Ｂｌｕｅｔｏｏｔｈ適合器等のワイヤレス通信手段を含むことができる。したがって、ハードウェアを受ける際、ハードウェアは、ユーザの特定の生物学的詳細及び条件を考慮に入れるように既にカスタマイズされており、ユーザの貴重な時間を節約する。ハードウェアは、起動時、又はユーザの要求により頭部伝達関数をダウンロードするように構成することもできる。
【００４３】
図９に示す第１の方法では、本開示の少なくともいくつかの実施形態によれば、聴取者の映像を撮影する。この映像は、聴取者の頭部及び上半身（肩）を含む一方で、場面は聴取者を旋回し、こうした詳細を全ての角度で示す。この後、計算工程は、映像を分析し、映像中の異なる画像の間に生じる差を見ることによる写真測量方法を使用して、聴取者の３次元モデルを構築する。次に、このモデルは、衝撃音が異なる向きから両耳に到来した際に衝撃音経験を計算する際に使用される。最終的に、この情報を使用すると、８００を超える異なる向きの到来音でＨＲＴＦフィルタを得ることができる。
【００４４】
第１の方法の第１のステップでは、ユーザの映像は、ユーザの正面から開始して、背面に沿って旋回することによって、全角度から撮影する。このステップの一例を図３に示す。映像工程の間、ユーザは、静止しており、カメラは、ドローン又はクレーン又は支持システムにより、別の人が動かす。映像工程の間、カメラの移動は、カメラが耳に直接面する点、及びユーザの後頭部で停止する。このことは、これらの重要な生物学的詳細に対して得られた画像に被写体ブレがないことを保証するのに有益な効果を有する。いくつかの実施形態では、ユーザの口は、映像工程の間、開いており、口腔から見える歯の情報を得る。実施形態の一部では、映像工程は、本開示に従って複数回繰り返すことができる。映像工程の間、音声データ、反響データ、加速度計データ、照明データ等、更なるセンサ・データを捕捉することができる。
【００４５】
第１の方法の第２のステップでは、ユーザの追加又は補足の画像（静止写真）を撮影する。追加画像は、ユーザの生物学的詳細、及び本開示で既に提示したデバイスによる測定デバイスの詳細を含む。追加画像は、映像素材の詳細を測るため、第１のコンピュータ・プログラム・アプリケーションによって後に使用され、ユーザの生物学的詳細、機器等に関連する詳細のために使用することもできる。
【００４６】
第１の方法の第３のステップでは、更なるデータを収集することができ、更なるデータは、第２のコンピュータ・プログラム・アプリケーションによって少なくとも部分的に促進される。この収集ステップは、音声の記録、骨伝導の測定、振動の測定、ユーザの少なくとも一部の重さを量ることを伴ってもよい。本開示によれば、データ収集工程を形成する方法ステップ１〜３は、異なる順序、及び更なる例示的実施形態では任意の順序で実施し得ることを理解されたい。これらのステップは、データ収集段階と総称することができ、図９のステップ４０１に示す。これらのステップの間、第２のコンピュータ・プログラム・アプリケーションは、以下の少なくとも１つ：データ収集工程に関連する命令又は指示、データ収集工程に関連する品質データ、データ収集工程の支援者との通信を提供することができる。
【００４７】
第１の方法の第４のステップでは、自動的に、もしくはプロンプト又はユーザ入力に対して応答して第２のコンピュータ・プログラム・アプリケーションは、収集した素材を準備し、第１のコンピュータ・プログラム・アプリケーションに送信する。素材は、以下の手順：符号化、暗号化、単一ファイルへのパッケージ化、複数ファイルへの分離、送信、再送信、検証の少なくともいくつかを受けることができる。手順は、以下の条件：データ・サイズ、データの質、ネットワーク状態、接続状態、接続技術、接続速度、ユーザの支払い状況の少なくともいくつかに応答して、１回又は複数回受けることができる。更なる例示的実施形態では、ユーザのメタデータ及び映像データは、ユーザの個人詳細を有利に保護する少なくとも１つの異なる手順、条件又は接続を使用して個別に送信することができる。例えば、ユーザの個人詳細は、Ａｄｖａｎｃｅｄ  Ｅｎｃｒｙｐｔｉｏｎ  Ｓｔａｎｄａｒｄ（ＡＥＳ＊）及び暗号鍵の第１のセットを使用して暗号化し、仮想私設ネットワークを介して送信することができる一方で、画像データは、暗号鍵の第２のセットを使用して暗号化し、インターネット上で送信することができる。この送信ステップを図９のステップ４０２として示す。
【００４８】
第１の方法のステップ１〜４のいずれかと同時に生じ得る第１の方法の第５のステップでは、データは、第１のコンピュータ・プログラム・アプリケーションによって受信され、処理される。本開示による少なくともいくつかの実施形態では、データは、以下の手順の少なくともいくつかを受けることができる：復号、逆圧縮、フィルタリング、品質評価、指数化、正規化、相互参照。ＨＲＴＦの計算及び／又は生成は、少なくとも部分的に、本開示の他の箇所で開示した計算方法又はステップを利用して達成することができる。
【００４９】
第１の方法の第６のステップでは、更なる調節は、少なくとも、本開示内の他の場所で開示する計算方法及び重み付けされた値を使用して実施することができる。第５のステップ及び第６のステップは、ＨＲＴＦ生成ステップ４０４として図９にまとめて示す。
【００５０】
任意の第７のステップでは、本開示の他の場所で詳述する品質管理方法に従って頭部伝達関数の質を評価することができる。伝達関数の品質スコア及び伝達関数に関連する他の詳細は、保存し、エンドユーザに送信することができる。更なる実施形態では、品質スコアは、検討のため、エンドユーザに直ちに送信することができる。この場合、第１の方法は、ユーザからの確認又は更なるデータを待つために休止することができる。更なる実施形態では、計算ステップで実施される計算は、データ収集ステップ及び品質評価ステップの両方において提供されるデータを使用して繰り返す、即ち、再度実施することができる。このことは、前記ステップにおいて必要なデータ量を低減し、頭部伝達関数の質及び精度を改善するという利益をもたらす。このステップを図９のステップ４０５として示す。
【００５１】
第８のステップでは、ＨＲＴＦをユーザのためにパッケージ化する。前記パッケージ化は、少なくとも１つのＳｐａｔｉａｌｌｙ  Ｏｒｉｅｎｔｅｄ  Ｆｏｒｍａｔ  ｆｏｒ  Ａｃｏｕｓｔｉｃ  （ＳＯＦＡ）ファイルを含むことができる。ＳＯＦＡファイルは、複数のＨＲＴＦを含むことができる。例示的実施形態では、出力ＳＯＦＡファイルは、両耳のＨＲＩＲデータを含む。前記ＨＲＩＲデータは、好ましくは、８００〜２２００の異なる方向、特に８３６又は１６６８の異なる方向等、多数の音響信号到来方向で与えることができる。ＨＲＩＲインパルス応答は、２５６〜４０９６の間のサンプル長、特に１０２４サンプル長とすることができる。サンプリング・レートは、ユーザの好みに応じて、４８、４４．１又は９６ｋＨｚ等、４０〜２００ｋＨｚの間とすることができる。パッケージ化した後、ＨＲＴＦは、本開示の他の箇所で開示した送信方法のうち少なくとも１つを介してユーザに送信する。パッケージ化ステップ及び送信ステップを図９のステップ４０６として示す。
【００５２】
第９のステップでは、ユーザはＨＲＴＦを受信する。有利には、ＨＲＴＦファイルは、少なくとも１つの検証信号を少なくとも１つの第１のコンピュータ・プログラムに送信するための自動生成プログラム命令を含むことがでる。検証信号は、ユーザがＨＲＴＦを受信しており、ＨＲＴＦ機器を用いてＨＲＴＦを使用できることを保証するという利益をもたらす。検証信号に応答して、ユーザは、ＨＲＴＦに関する更なる命令又は通信を送信することができる。ＨＲＴＦは、以下の方法：少なくとも１つの処理デバイス、音響機器、ハイパーリンク、ウェブベースの記憶域にアクセスする信用証明、ＵＳＢドライブ等の電子媒体のうち少なくとも１つを介してユーザが受信することができる。特に有利な実施形態では、ユーザには、多数の音響機器で使用するためのＨＲＴＦの複数のコピーを提供する。そのようなコピーは、本開示で概説した前記多数の音響機器の詳細に従って調節することができる。
【００５３】
第１の方法又は第２の方法を完了した後、図９のステップ４０７として示すように、ユーザは、個人化した頭部伝達関数を所有する。第２のコンピュータ・プログラム・アプリケーションは、ユーザに、頭部伝達関数を評価するルーチン又は方法を提供することができる。更なる例示的実施形態では、ユーザは、コンピュータ・プログラム・アプリケーション、又は更に少なくとも１つのデバイスを利用することができ、少なくとも１つのデバイスは、少なくとも事前にプログラムした試験信号に関連するマイクロフォンを備え、ＨＲＴＦの性能に関連する更なるデータを得るようにし、更なるデータは、次に、少なくとも１つの第１のコンピュータ・プログラム・アプリケーションに送信され、本開示の他の箇所で開示した基準の少なくともいくつかに従って分析される。次に、ユーザは、更新したバージョンのＨＲＴＦを受信することができる。更に、頭部伝達関数は、有利には、周期的、例えば年に一度、更新することができる。というのは、ユーザの生物学的詳細は、典型的には年齢と共に変化するためである。第１のコンピュータ・プログラム・アプリケーションは、ユーザにそのような更新に関するリマインダを提供することができる。更なる例示的実施形態では、ヘッドフォン等の音響機器内でのＨＲＴＦの更新、及び更新したＨＲＴＦの使用は、自律的に行い、音響機器、第１のコンピュータ・プログラム・アプリケーション、第２のコンピュータ・プログラム・アプリケーションのうち少なくとも１つによって開始することができる。
【００５４】
少なくとも１つの第２の方法では、本開示によれば、ユーザは、サーバ上に保存したリソースにアクセスし、個人化ＨＲＴＦの取得を開始することができる。上記で開示した第１の方法の少なくともいくつかの要素及びステップは、第２の方法の文脈内においても使用可能である。
【００５５】
第２の方法では、ユーザは、インターネットを介してＨＲＴＦ関連コンテンツにアクセスすることができる。更なる例示的実施形態では、このアクセスは、安全なウェブページを介して提供することができる。更なる例示的実施形態では、リソースは、少なくとも１つの第１のコンピュータ・プログラム・アプリケーション又は第２のコンピュータ・プログラム・アプリケーションによって提供される。更なる例示的実施形態では、ＨＲＴＦ関連コンテンツにアクセスする前、ユーザは、最初にユーザについての基本情報を提供し、ユーザの連絡先詳細を検証し、任意でデータを検証する。このステップ又は本明細書で説明するあらゆる他の方法ステップで使用可能な検証手順は、計算に誤ったデータを入力することを低減し、ユーザの場所、年齢又は他のＨＲＴＦ関連データが不正確である可能性を低減するという利益をもたらす。
【００５６】
ユーザが上述の情報提供を実施した後、ＨＲＴＦに関連する命令、例えば、ＨＲＴＦ関連データの入手又は測定の仕方をユーザに与えることができる。これらの命令は、静的に、例えば、テキスト若しくは映像グラフィック形式でもたらすことができるか、又は有利には、ユーザが工程全体を通じて繰り返し案内される双方向形式でもたらすことができ、これらの命令の繰り返しは、ユーザが問題に直面し得る必要な点で提供される。同様に、そのような命令は、少なくとも、ＨＲＴＦ入力データを承認された捕捉方法によって多大に改善し得るという理由で有益である。
【００５７】
第１の方法又は第２の方法による少なくともいくつかの実施形態では、ユーザがユーザの詳細を提供した後、本開示による測定デバイスを備える測定キットをユーザに送信、転送するか又はユーザが作製することができる。そのような動作は、有利には、自律的に達成し、人間による労働の必要性を低減し、誤りをなくすことができる。
【００５８】
第２の方法によれば、ユーザは、受信プログラムに前記データを提供することができ、受信プログラムは、例えば、ウェブ・ページを介して少なくとも１つの第１のコンピュータ・プログラム・アプリケーション若しくは第２のコンピュータ・プログラム・アプリケーション及び／又はサーバ・アプリケーションを含むことができる。ユーザが提供した前記データは、データ転送完了時、プログラムを受信することによって、自律的に品質検査にかけることができる。更なる例示的実施形態では、受信プログラムは、データが、ＨＲＴＦ生成に容認可能な状態にあるという検証メッセージをユーザに自律的に送信することができる。ＨＲＴＦの計算及び／又は生成は、少なくとも部分的に、本開示の他の箇所で開示した計算方法又はステップを利用して達成することができる。
【００５９】
第２の方法によれば、受信プログラムは、第１の方法に関して概説した対応するステップに従ってＨＲＴＦを生成、調節、修正、パッケージ化し、ユーザに送信するように構成することができる。特に有利な例示的実施形態では、ＨＲＴＦは、ヘッドフォン等の音響機器に対してアップロード、インストール、送信又はパッケージ化され、次に、音響機器は、郵便サービス等の配達サービスによってユーザに配達される。このことは、ユーザにカスタマイズしたヘッドフォンを提供するという利益、及び本開示の他の箇所で開示した音質の改善という利益を有する。音響機器は、ユーザの近隣内の小売店等の商業的企業であってもよく、ユーザのＨＲＴＦは、自動的又は任意で手動でヘッドフォンにアップロードされる。このことにより、ユーザの待機時間を最小化し、単に小売店で購入したヘッドフォンよりも良好な音質を提供する。更なる例示的実施形態では、ユーザＨＲＴＦは、電子的に送信され、ユーザは、ユーザ自身のＨＲＴＦを使用していくつかの対の音響機器を検査することができる。
【００６０】
本開示による少なくともいくつかの実施形態では、コンピュータ・プログラム・アプリケーションの少なくともいくつかは、支払いモジュールを備えることができる。そのような支払いモジュールは、ＡＰＩ、サブルーチン、又はユーザからの電子支払い物の収集を促進する別の手段を備えることができる。ユーザの支払い状況は、ユーザ・データに付加し、様々な方法で使用することができ、例えば、部分的に、計算リソースをＨＲＴＦに割り当てるために使用することができるか、又は支払い確認として、支払い状況は、計算工程を開始する前に受信されている。
【００６１】
本開示の文脈において、ＨＲＴＦ関連コンテンツは、少なくとも、データ収集工程に関連する命令又は指示、データ収集工程に関連する品質データ、データ収集工程の支援者との通信を含むことができる。
【００６２】
図１０は、例示的実施形態を以下のように示す。ステップ５０１は、第１のコンピュータ・プログラム・アプリケーションによって、ユーザの頭部伝達関数を計算することを含み、計算は、少なくとも１つの映像素材及び少なくとも１つの追加画像を含む収集データに少なくとも部分的に基づき、少なくとも１つの追加画像は、透明測定デバイスを、ユーザの少なくとも１つの生物学的要素の細部の上に重ねた画像を含み、ステップ５０２では、前記頭部伝達関数は、例えば、ユーザに送信される。
【００６３】
いくつかの実施形態では、コンピュータ・プログラム・アプリケーションは、計算デバイスによって実行され、前記デバイスはそれぞれ、少なくとも１つの処理コアを備える。計算デバイスは、例えば、以下の少なくとも１つ：パーソナル・コンピュータ（ＰＣ）、携帯電話、スマート・フォン、スマート・ウォッチ、タブレット・コンピュータ、サーバ、ノード又はクラウド計算デバイスとすることができる。計算デバイスに含まれるのは、プロセッサであり、プロセッサは、例えば、シングルコア・プロセッサ又はマルチコア・プロセッサを含むことができ、シングルコア・プロセッサは、１つの処理コアを備え、マルチコア・プロセッサは、２つ以上の処理コアを備える。プロセッサは、２つ以上のプロセッサを備えることができる。処理コアは、例えば、ＡＲＭ  ＨｏｌｄｉｎｇｓによるＣｏｒｔｅｘ−Ａ８処理コア又はＡｄｖａｎｃｅｄ  Ｍｉｃｒｏ  Ｄｅｖｉｃｅｓ  Ｃｏｒｐｏｒａｔｉｏｎ製のＳｔｅａｍｒｏｌｌｅｒ処理コアを含むことができる。プロセッサは、少なくとも１つのＱｕａｌｃｏｍｍのＳｎａｐｄｒａｇｏｎ及び／又はＩｎｔｅｌのコア・プロセッサを含むことができる。プロセッサは、少なくとも１つの特定用途向け集積回路、即ちＡＳＩＣを含むことができる。プロセッサは、少なくとも１つのフィールド・プログラマブル・ゲート・アレイ、即ちＦＰＧＡを含むことができる。プロセッサは、計算デバイスにおいて方法ステップを実施する手段とすることができる。プロセッサは、少なくとも部分的に、コンピュータ命令によって動作を実施するように構成することができる。
【００６４】
いくつかの実施形態では、ネットワークは、計算デバイスと第２の計算デバイスと他の要素との間の通信を促進するために使用される。本開示による使用可能なネットワーク技術は、少なくとも、例えば、ワイヤレス・ローカル・エリア・ネットワーク、即ちＷＬＡＮ、イーサネット、ユニバーサル・シリアル・バス、即ちＵＳＢ、並びに／又はＷｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ、Ｂｌｕｅｔｏｏｔｈ、ＷｉＭＡＸ、規格、及び衛星通信方法を備える。代替又は追加として、登録商標権をもつ通信フレームワークを利用することができる。いくつかの実施形態では、個別のネットワークは、以下の目的：計算デバイスと周辺デバイスとの間の通信、計算デバイスとサーバとの間の通信等のうち１つ又は複数のために使用することができる。
【００６５】
上述のように、本開示に関連して、本明細書で開示する頭部伝達関数又はコンピュータ・プログラム・アプリケーションのいずれかは、事前にプログラムした命令、第１のデバイス若しくは第３者デバイスの有無を含む他のデバイスから受信した通信、経過時間、事前設定時間、ユーザの体内若しくは体外の測定値、ユーザの場所、ユーザの入力及びタイミング、バッテリ・レベル、ネットワーク・データ、検出された使用量、計画された使用量又はそれらの任意の組合せを含む、様々な決定基準に従って調節することができる。コンピュータ・プログラム・アプリケーション又はハードウェア・ユニットは、事前にプログラムした行動又は工程を有することもできる。事前にプログラムした行動又は工程は、上記で挙げた基準に基づき作動させることができる。
【００６６】
本開示及び特に本明細書で開示する実施形態は、少なくとも以下の利益を提供する。例えば、規格の携帯電話を使用し得るため、計装が単純で安価である。データ取得工程は、ユーザにとって単純であり、この取得は、あらゆる場所で取得することができ、聴取者が長時間動かずに座ることを必要としない。無音を必要としない。この方法は、無響ＨＲＴＦを提供するにもかかわらず、無響室の使用を必要としない。本明細書で開示する方法は、マイクロフォンを聴取者の耳に置くことに関連する不確実さをなくす。聴取者の動きによる影響は、最終結果の品質に役割を果たすものではない。
【００６７】
開示する本発明の実施形態は、当業者には了解されるように、本明細書で開示する特定の構造、工程ステップ又は材料に限定されないが、これらの等価物に拡張されることを理解されたい。本明細書で使用する用語は、特定の実施形態を説明する目的で使用するにすぎず、限定を意図するものではないことも理解されたい。
【００６８】
１つの実施形態又は一実施形態に対する本明細書全体にわたる言及は、当該実施形態に関連して説明する特定の特徴、構造又は特性が、本発明の少なくとも一実施形態の中に含まれることを意味する。したがって、本明細書全体にわたる様々な場所における句「１つの実施形態では」又は「一実施形態では」の出現は、必ずしも、全てが同じ実施形態に言及するわけではない。例えば、約又はほぼといった用語を使用して数値に対し言及する場合、正確な数値も開示されている。
【００６９】
本明細書で使用する複数の項目、構造要素、組成要素及び／又は材料は、便宜上、共通のリスト内に提示することができる。しかし、これらのリストは、リストの各部材が、個別で固有の部材として独立に特定されているかのように解釈すべきである。したがって、そのようなリストの個々の部材は、別段の指示がない限り、共通の群内の提示のみに基づく、同じリストのあらゆる他の部材の事実上の等価物として解釈すべきである。更に、本発明の様々な実施形態及び例は、これらの様々な構成要素の代替形態と共に本明細書で参照することができる。そのような実施形態、例及び代替形態は、事実上の互いの等価物として解釈すべきではないが、本発明の個別の、自律的な表現としてみなされることを理解されたい。
【００７０】
更に、説明する特徴、構造又は特性は、あらゆる適切な様式で１つ又は複数の実施形態において組み合わせることができる。本明細書では、長さ、幅、形状等の例等の多数の具体的な詳細を提供し、本発明の実施形態に対する完全な理解をもたらしている。しかし、本発明は、特定の詳細の１つ若しくは複数を伴わずに、又は他の方法、構成要素、材料等と共に実行し得ることを当業者は了解するであろう。他の例では、周知の構造、材料又は動作は、本発明の態様をあいまいにしないように、詳細に示さないか又は説明していない。
【００７１】
上記の例は、１つ又は複数の特定の用途における本発明の原理を示すものであるが、本発明の機能を実行することなく、本発明の原理及び概念から逸脱することなく、実装形態の形態、使用法及び詳細における多数の修正形態を行い得ることは当業者には明らかであろう。したがって、以下に示す特許請求の範囲を除いて本発明を限定することを意図しない。
【００７２】
動詞「備える」及び「含む」は、本文書ではオープンな限定として使用され、列挙しない特徴の存在に対し除外も、要求もしない。従属請求項で列挙される特徴は、それ以外のことが明確に述べられていない限り、相互に、自由に組み合わせ可能である。更に、１つの（「ａ」又は「ａｎ」）、即ち、単数形は、本文書全体を通じて複数形を除外しないことを理解されたい。
【産業上の利用可能性】
【００７３】
本発明の少なくともいくつかの実施形態には、音響工学、音響効果及び聴覚較正における産業上の利用可能性が見いだされる。
【００７４】
頭字語のリスト
ＡＥＳ  Ａｕｄｉｏ  Ｅｎｇｉｎｅｅｒｉｎｇ  Ｓｏｃｉｅｔｙ
ＡＥＳ＊  Ａｄｖａｎｃｅｄ  Ｅｎｃｒｙｐｔｉｏｎ  Ｓｔａｎｄａｒｄ
ＡＰＩ  アプリケーション・プログラム・インターフェース
ＢＥＭ  境界要素法（ｂｏｕｎｄａｒｙ  ｅｌｅｍｅｎｔ  ｍｅｔｈｏｄ）
ＦＤ  有限差分法（ｆｉｎｉｔｅ  ｄｉｆｆｅｒｅｎｃｅ  ｍｅｔｈｏｄ）
ＦＤＴＤ  有限差分時間領域法（ｆｉｎｉｔｅ  ｄｉｆｆｅｒｅｎｃｅ  ｔｉｍｅ  ｄｏｍａｉｎ  ｍｅｔｈｏｄ）
ＦＥＭ  有限要素法（Ｆｉｎｉｔｅ  ｅｌｅｍｅｎｔ  ｍｅｔｈｏｄ）
ＨＲＩＲ  頭部インパルス応答（Ｈｅａｄ−ｒｅｌａｔｅｄ  ｉｍｐｕｌｓｅ  ｒｅｓｐｏｎｓｅ）
ＨＲＴＦ  頭部伝達関数（Ｈｅａｄ−ｒｅｌａｔｅｄ  Ｔｒａｎｓｆｅｒ  Ｆｕｎｃｔｉｏｎ）
ＬＥＤ  発光ダイオード（Ｌｉｇｈｔ  ｅｍｉｔｔｉｎｇ  ｄｉｏｄｅ）
ＯＣＲ  光学式文字認識（Ｏｐｔｉｃａｌ  ｃｈａｒａｃｔｅｒ  ｒｅｃｏｇｎｉｔｉｏｎ）
ＱＲ  クイック・レスポンス・コード（Ｑｕｉｃｋ  ｒｅｓｐｏｎｓｅ  ｃｏｄｅ）
ＳＯＦＡ  Ｓｐａｔｉａｌｌｙ  Ｏｒｉｅｎｔｅｄ  Ｆｏｒｍａｔ  ｆｏｒ  Ａｃｏｕｓｔｉｃｓ
ＵＳＢ  ユニバーサル・シリアル・バス（Ｕｎｉｖｅｒｓａｌ  ｓｅｒｉａｌ  ｂｕｓ）
【符号の説明】
【００７５】
１０  ユーザ
１１  ユーザの右耳
１２  ユーザの左耳
１３  ユーザの右肩
１４  ユーザの左肩
１５  ユーザの口腔
１６  ユーザの頭部
１８  ユーザの頸部
９０  測定デバイス
９１  測定デバイス上の機械可読目盛り
９５  測定デバイス
９６  測定デバイス上の機械可読目盛り
９７  測定デバイス上の識別手段
２００  音生成デバイス
２０１  ユーザの右耳に聞こえる音
２０２  ユーザの左耳に聞こえる音
２０２ａ  ユーザの耳に対して異なる経路を取る、ユーザの左耳に聞こえる音
２０２ｂ  ユーザの耳に対して異なる経路を取る、ユーザの左耳に聞こえる音
２０２ｃ  ユーザの耳に対して異なる経路を取る、ユーザの左耳に聞こえる音
２０２ｄ  ユーザの耳に対して異なる経路を取る、ユーザの左耳に聞こえる音
４０１  方法ステップ
４０２  方法ステップ
４０３  方法ステップ
４０４  方法ステップ
４０５  方法ステップ
４０６  方法ステップ
４０７  方法ステップ
５０１  方法ステップ
５０２  方法ステップ
【図１】
2020201479.tif 000004
【図２】
2020201479.tif 000005
【図３】
2020201479.tif 000006
【図４】
2020201479.tif 000007
【図５】
2020201479.tif 000008
【図６】
2020201479.tif 000009
【図７】
2020201479.tif 000010
【図８】
2020201479.tif 000011
【図９】
2020201479.tif 000012
【図１０】
2020201479.tif 000013
【手続補正書】
【提出日】令和2年5月25日(2020.5.25)
【手続補正１】
【補正対象書類名】特許請求の範囲
【補正対象項目名】全文
【補正方法】変更
【補正の内容】
【特許請求の範囲】
【請求項１】
−第１のコンピュータ・プログラム・アプリケーションによって、ユーザの頭部伝達関数を計算することと、
前記頭部伝達関数を送信することと
を含む方法であって、前記計算は、少なくとも１つの映像素材及び少なくとも１つの追加画像を含む収集データに少なくとも部分的に基づき、前記少なくとも１つの追加画像は、透明測定デバイスを、ユーザの少なくとも１つの生物学的詳細の上に重ねた画像を含む、方法。
【請求項２】
前記透明測定デバイスをユーザの耳に押し当てる、請求項１に記載の方法。
【請求項３】
前記送信は、
−前記頭部伝達関数を少なくとも１つの音響デバイスにロードすることと、
−ユーザが前記音響デバイスを利用可能になることと
を含む、請求項１に記載の方法。
【請求項４】
前記音響デバイスは、ヘッドフォンを備える、請求項２に記載の方法。
【請求項５】
自律デバイスは、ユーザに関連するデータを収集するために使用する、請求項１から４のいずれか一項に記載の方法。
【請求項６】
前記第１のコンピュータ・プログラム・アプリケーションは、前記データ収集工程のための状況命令を提供する、請求項１から５のいずれか一項に記載の方法。
【請求項７】
前記収集データは、ユーザに関連するメタデータを含み、前記メタデータは、前記第１のコンピュータ・プログラム・アプリケーションにおいて、前記映像素材及び前記少なくとも１つの追加画像とは個別に受信する、請求項１から６のいずれか一項に記載の方法。
【請求項８】
前記収集データは、ユーザの左耳の少なくとも１つの追加画像及びユーザの右耳の少なくとも１つの追加画像を含む、請求項１から７のいずれか一項に記載の方法。
【請求項９】
前記頭部伝達関数は、少なくとも１つの波動方程式を解くことによって、時間領域において計算する、請求項１から８のいずれか一項に記載の方法。
【請求項１０】
前記頭部伝達関数は、少なくとも１つのヘルムホルツ方程式を解くことによって、周波数領域において計算する、請求項１から９のいずれか一項に記載の方法。
【請求項１１】
前記送信は、前記頭部伝達関数をＳＯＦＡファイル・フォーマットにパッケージ化することを含む、請求項１から１０のいずれか一項に記載の方法。
【請求項１２】
少なくとも１つの処理コアと、コンピュータ・プログラム・コードを含む少なくとも１つのメモリとを備える装置であって、前記少なくとも１つのメモリ及び前記コンピュータ・プログラム・コードは、前記少なくとも１つの処理コアと共に、前記装置が、少なくとも、
−ユーザの頭部伝達関数を計算し、
−前記頭部伝達関数を送信する
ように構成し、前記計算は、少なくとも１つの映像素材及び少なくとも１つの追加画像を含む収集データに少なくとも部分的に基づき、前記少なくとも１つの追加画像は、透明測定デバイスを、ユーザの少なくとも１つの生物学的詳細の上に重ねた画像を含む、装置。
【請求項１３】
前記頭部伝達関数の送信は、
−前記頭部伝達関数を少なくとも１つの音響デバイスにロードすることと、
−ユーザが前記音響デバイスを利用可能になることと
を含む、請求項１１に記載の装置。
【請求項１４】
前記頭部伝達関数は、少なくとも１つの波動方程式を解くこと、少なくとも１つのヘルムホルツ方程式を解くことのうち少なくとも１つによって、時間領域において計算する、請求項１１又は１２に記載の装置。
【請求項１５】
請求項１〜１０のいずれか一項に記載の方法を実施させるように構成したコンピュータ・プログラム。
【外国語明細書】
2020201479000001.pdf